(57)【要約】【課題】ＬＥＤを使用しコンパクトで簡単に組立て可能な照明器具を提供すること。【解決手段】少なくとも２つの側壁を有し、内側に反射効果のある桶形の反射体（１６）を備え、第１の側壁（１８）が第２の側壁（１９）と向き合い、反射体に設けられた光出口開口（２３）の中に拡散要素（２４）が配置されている。第１の側壁（１８）及びこれと向き合う第２の側壁（１９）が一平面に沿って揃えられたセクション（１８、１９）を有し、これに別々の色の複数のＬＥＤ（２７ａ−２７ｇ）が配置されており一方の側壁（１８）に配置されたＬＥＤ（２７ａ）から発せられた光の大部分が他方の側壁（１９）で反射された後に初めて拡散要素（２４）に到達するようにされている。【選択図】図２
2008053049.tif 000002
【特許請求の範囲】
【請求項１】
少なくとも２つの側壁を有し、内側に反射効果のある桶形の反射体（１６）を備え、第１の側壁（１８）が第２の側壁（１９）と向き合っており、前記反射体に設けられた光出口開口（２３）の中に拡散要素（２４）が配置されている、特に建物平面又は建物部分平面（１１）に固定される照明器具（１０）であって、
少なくとも前記第１の側壁（１８）及びこれと向き合う第２の側壁（１９）がそれぞれ少なくとも１つの、平面に沿うように揃えられたセクション（１８、１９）を有し、これに別々の色の複数のＬＥＤ（２７ａ、２７ｂ、２７ｃ、２７ｄ、２７ｅ、２７ｆ、２７ｇ）が配置されており、一方の側壁（１８）に配置されたＬＥＤ（２７ａ）から発せられた光の大部分が前記他方の側壁（１９）で反射された後に初めて前記拡散要素（２４）に到達するように配置されている、
ことを特徴とする照明器具。
【請求項２】
前記セクション（１８）の外側（２９）に、複数のＬＥＤ（２７ａ、２７ｂ、２７ｃ、２７ｄ、２７ｅ、２７ｆ）を付けたプリント基板（２５ａ）が固定されている、ことを特徴とする請求項１に記載の照明器具。
【請求項３】
前記プリント基板（２５ａ）が、ねじ及び／又はラッチ要素によって前記セクション（１８）に固定されている、ことを特徴とする請求項２に記載の照明器具。
【請求項４】
前記ＬＥＤが前記プリント基板（２５ａ）から前記反射体（１６）の内空部（Ｊ）の中に突出している、ことを特徴とする請求項２又は３に記載の照明器具。
【請求項５】
前記セクション（１８、１９）に開口が設けられている、ことを特徴とする請求項２〜４の１項に記載の照明器具。
【請求項６】
前記ＬＥＤが少なくとも部分的に前記開口を突き抜けている、ことを特徴とする請求項５に記載の照明器具。
【請求項７】
前記プリント基板（２５ａ）の外側（３０）に放熱体（２６）が配置されている、ことを特徴とする請求項２〜６の１項に記載の照明器具。
【請求項８】
少なくとも１つのプリント基板（２５ａ）が設けられ、その上に少なくとも６個のＬＥＤ（２７ａ、２７ｂ、２７ｃ、２７ｄ、２７ｅ、２７ｆ）が互いに間隔をあけて配置されている、ことを特徴とする請求項２〜７の１項に記載の照明器具。
【請求項９】
少なくとも１つのプリント基板（２５ａ）が設けられ、その上に少なくとも２つの赤色ＬＥＤ（２７ａ、２７ｂ）、２つの青色ＬＥＤ（２７ｃ、２７ｄ）及び２つの緑色ＬＥＤ（２７ｂ、２７ｅ）が互いに間隔をあけて配置されている、ことを特徴とする請求項８に記載の照明器具。
【請求項１０】
前記反射体（１６）が４つの側壁（１８、１９、２０、２１）を有する、ことを特徴とする先行請求項の１項に記載の照明器具。
【請求項１１】
前記反射体（１６）が底壁（２２）を有する、ことを特徴とする先行請求項の１項に記載の照明器具。
【請求項１２】
前記第１及び第２の側壁（１８、１９）、特に４つの側壁がそれぞれ一平面に沿って延びる、ことを特徴とする先行請求項の１項に記載の照明器具。
【請求項１３】
前記反射要素（１６）が、互いに固定された少なくとも５つの構造部分（１８、１９、２０、２１，２２）からなる、ことを特徴とする先行請求項の１項に記載の照明器具。
【請求項１４】
前記ＬＥＤが照明の変更可能な混合色を獲得すべく個別に又はグループとして起動できるようになっている、ことを特徴とする先行請求項の１項に記載の照明器具。
【請求項１５】
前記桶形の反射体（１６）が前記光出口開口（２３）に向かって広がる、ことを特徴とする先行請求項の１項に記載の照明器具。
【請求項１６】
前記反射要素（１６）が実質的に台形の横断面を有する、ことを特徴とする先行請求項の１項に記載の照明器具。
【請求項１７】
前記反射要素が実質的に三角形の横断面を有する、ことを特徴とする請求項１〜１５の１項に記載の照明器具。
【請求項１８】
前記反射要素が実質的に矩形の横断面を有する、ことを特徴とする請求項１〜１５の１項に記載の照明器具。
【請求項１９】
前記光出口開口（２３）が矩形に形作られている、ことを特徴とする先行請求項の１項に記載の照明器具。
【請求項２０】
前記反射体（１６）の前記光出口開口（２３）の後方の光路の中に第２の反射要素（３１）が配置されている、ことを特徴とする先行請求項の１項に記載の照明器具。
【請求項２１】
前記第２の反射要素（３１）が一種のライトブレードの形に作られており、特に湾曲している、ことを特徴とする請求項２０に記載の照明器具。
【請求項２２】
前記第２の反射要素（３１）に、拡散要素（２４）を突き抜ける光の一部分しか当たらない、ことを特徴とする請求項２０又は２１に記載の照明器具。
【発明の詳細な説明】
【技術分野】
【０００１】
本発明は、請求項１の前段に記載の照明器具に関するものである。
【背景技術】
【０００２】
対象とするのは特に建物照明器具、例えば室の天井に取付けることのできる照明器具である。しかし、ここで言う照明器具は室外灯であってもよい。好ましくは、照明器具は建物平面を照らし出すのに役立つ。そこで基本的に望まれるのは、均一な光分布を達成すること、そして、様々な色の照明手段の場合は、できるだけ均一な混色も達成することである。
【０００３】
公知の先使用により知られるに至った出願人の照明器具は、内側が反射面をなす実質的に桶形の反射体を具備する。「ｆｏｃａｌ  ｆｌｏｏｄ」の呼称で知られるに至った出願人の照明器具は、反射体の内空部に、様々な混合色を得るために点灯できる別々の色の３つの蛍光灯を具備する。ワンピースで形作られた桶形の反射体は、２つの長手側壁と１つの底壁を有し、これらの壁が全体として実質的に放物線状の横断面をなすように配置されている。反射体の山形領域が反射体の底壁をなす。また、２つの細幅側壁が反射体の正面側に設けられている。拡散要素が光出口開口の中に配置されており、３つの照明手段の基本色の光部分を混合する。
【発明の開示】
【発明が解決しようとする課題】
【０００４】
従来公知の照明器具から出発して、本発明の課題は、ＬＥＤを照明手段として使用した上で、個々の照明手段の構造をほとんど分解できなくし、コンパクトな作りで単純な組立てを可能にする照明器具を提供することにある。
【課題を解決するための手段】
【０００５】
この課題は、請求項１に記載の特徴、特に請求項１の後段に記載の特徴によって解決される。それによれば、本発明による照明器具は、少なくとも第１の側壁及びこれと向き合う第２の側壁が、それぞれ少なくとも１つの、一平面に沿って揃えられたセクションを有し、これに別々の色の複数のＬＥＤが配置されており、詳記するならば、一方の側壁に配置されたＬＥＤから発せられた光の大部分が他方の側壁で反射された後に初めて拡散要素に到達するように配置されていることを特徴とする。
【０００６】
本発明の原理は、先ず、平面的又は平坦に、すなわち一平面に沿って揃えられた形に作られた側壁セクションを反射体に設けることにある。このような側壁セクションが、一方で、例えばプリント基板に搭載できるＬＥＤの、反射体への特に単純な固定を可能にする。プリント基板は、特に単純な仕方で平坦セクションに平面的に隣接する形で固定できるので、最も単純な固定手段を使って単純かつ確実な組立てが可能となる。プリント基板が平坦セクションに平面的に隣接できることにより、プリント基板を反射要素に安定した形で配置することも可能となる。平坦セクションを設けることにより、プリント基板のために大面積の位置決め面を準備することができる。
【０００７】
ＬＥＤは、例えばセクションの開口部を通って反射体の内空部の中まで入り込むことができるが、プリント基板の方は、反射体セクションの外側に平面的に隣接する。プリント基板を反射体の内空部の外側に配置することにより、反射体内部で光が広がり、前進するのをプリント基板が妨げるおそれはない。
【０００８】
反射体の側壁の１セクションを平面的に形作ることにより、ＬＥＤを付けた平らなプリント基板の取付け及びプリント基板の単純な固定に加えて、プリント基板の外側に放熱体を単純に取付けることも可能となるので、反射体内部で光が混ざり合い、前進するのを放熱要素が妨げるおそれもない。ここで、放熱要素又は放熱体も、有利な仕方で平面又は大体積の形に作ることができ、反射体ハウジングに直接又はプリント基板を介して確実かつ安定した形で固定することができる。
【０００９】
本発明の更なる主な態様では、反射体の少なくとも第１の側壁及びこれと向き合う第２の側壁にそれぞれＬＥＤが配置される。これですでに基本的に、ＬＥＤは反射体の内空部全体に分布する形で、すなわち、互いに間隔をあけて反射体の中に配置されることになる。ここでは更に、一方のＬＥＤから発せられた光の大部分が他方の側壁で反射された後に初めて、特に前記ＬＥＤが固定された側壁と向き合う側壁で反射された後に初めて拡散要素に到達することを見込んでいる。こうすることで、いかなる場合でも、ＬＥＤから発せられた光の僅かな部分しか直接に拡散要素に到達しないことが確実にされる。できれば、一方のＬＥＤから発せられた光の大部分が向き合う側壁で反射されるとき、この光の部分がそこで平らな内面に当たり、その結果、そこで特にうまく設定した通りの反射が行われることが好ましい。
【００１０】
全体として、反射要素の発明通りの作りとＬＥＤの配置は、様々な色の光の特に良好な混色を可能にする。すべてのＬＥＤから発せられた光全体が拡散要素に当たる前にすでに基本的な混色が済んでいるのである。この混色は、拡散要素によって更に改善される。
【００１１】
照明器具の外にいる観察者が拡散要素を直接覗き込んでも、個々の光源をその配置の点で、また、その色の点で見分けることはもはやできない。同様に、この照明器具によって照らし出される建物平面は、その強さの点で、また、その混合色の点で均一に照らし出される。
【００１２】
本発明による照明器具は、その上、僅かな光電流損失しか発生しないので、極めて効率良く使用できる。本発明による照明器具では、相対的に少ない回数の反射でもって十分に均一な混色が達成できる。すなわち、１つのＬＥＤから発せられた光の大部分は、１つの側壁で１回反射された後に早くも拡散要素に当たる。確かに、１つのＬＥＤから発せられた光の僅かな部分が複数の側壁で、又は場合によっては底壁でも数回反射された後に初めて拡散要素に到達することは排除されていない。しかし、高い発光効率を得る上で、反射回数が多すぎることは不利とみなされ、本発明による照明器具をもってすればそれを回避できるのである。
【００１３】
本発明による照明器具は、特に均一な混色を可能にし、また、単純な作り方で極めてコンパクトな省スペース構造をも可能にする。
【００１４】
本特許出願に言う桶形の反射体とは、特に、横の広がりより縦の広がりの方が大きい、軸方向に長く延ばした反射体である。無論、本特許出願に言う“桶形の反射体”はこの構造だけに限られるものではない。この言い方には、縦寸法が横の広がりに実質的に相当するような反射体も含まれている。
【００１５】
桶形の反射要素は、中に拡散要素が配置された光出口開口を有し、その拡散要素は、特に、照明器具が方位灯、装飾灯又は絵信号灯として形作られている場合は、例えば注意絵信号を照らし出するために絵の背後から光を当て、いわば絵が自ら光を放つかのようにした、極めて強い拡散効果を見せる拡散要素である。この場合、桶形の反射要素の光出口開口は、同時に照明器具の光出口開口でもある。
【００１６】
他の照明器具、例えば壁灯又は天井灯の場合は、トラフ状反射体の光出口開口後方の光路ないしは拡散要素後方の光路にもうひとつの補助の反射要素、例えばライトブレードと名付けることのできる反射体を配置することができる。これで、すでにその光度の点で最適に混色された光を前進させたりその向きを変えたりすることが可能となる。
【００１７】
本発明の有利な形態によれば、セクションの外側に、複数のＬＥＤを付けたプリント基板が固定されている。これは、複数のＬＥＤを一緒に、つまり１つの組立てステップで反射要素に固定できるので、特に単純な組立てを可能にする。また、セクションの平面的な作りが従来型固定要素の取付けを難なく可能にするので、従来型コンポーネントをさかのぼって採用することができる。結局、典型的な形として平面的に形作られた従来型プリント基板を採用することもできる。
【００１８】
本発明の更なる有利な形態によれば、プリント基板は、ねじ又は／及びラッチ要素によってセクションに固定されている。これは特に単純な作りを可能にし、そこで、従来型固定手段を採用することができる。
【００１９】
本発明の更なる有利な形態によれば、ＬＥＤはプリント基板から反射体の内空部の中に突出する。これは、特に有利な形で光が前進することを可能にし、ＬＥＤから発せられた光が反射要素の内部で混ざり合うことを可能にし、また、プリント基板の、そして場合によっては放熱要素の特に単純な取付けを可能にする。しかも、反射体内部で光が前進するのを放熱要素及びプリント基板が妨げることはない。
【００２０】
本発明の更なる有利な形態によれば、セクションに開口が設けられている。これは、ＬＥＤの通り抜けを可能にし、又はその代わりに、ＬＥＤから発せられた光の通り抜けだけを可能にする。後者の場合、ＬＥＤは、反射体の内空部の外に、例えば開口に直接隣接して配置してあってもよい。
【００２１】
好ましくは、ＬＥＤの少なくとも一部が開口を通って反射体の内空部の中に突出する。
【００２２】
更に有利には、プリント基板の外側に放熱体が配置されている。これは、従来型コンポーネントの使用を可能にし、そこで、これらのコンポーネントは、反射要素内部で光が前進するのを妨げることなく反射体の外に配置されている。
【００２３】
本発明の更なる有利な形態によれば、少なくとも１つのプリント基板が設けられ、その上に少なくとも６個のＬＥＤが互いに間隔をあけて配置されている。ここでは、ＬＥＤが反射要素の内空部に沿って互いに間隔をあけて空間的に分布する形で配置されていることにより、光源の構造をある程度分解することができるので、光の特に有利な均一分布が可能となる。互いに間隔をあけた配置は、更に有利な仕方で、ＬＥＤがプリント基板の平面全体にわたって実質的に均一に分布するように実施することができる。
【００２４】
更に有利には、プリント基板の寸法は、セクションの平面の大部分に実質的に相当し、更に有利には側壁の平面の大部分に実質的に相当する。これで、反射体内面全体にわたってＬＥＤを特に均一に分布する形で配置することが可能となり、これが、更に改善された均一な混色を可能にする。
【００２５】
本発明の更なる有利な形態によれば、少なくとも１つのプリント基板が設けられ、その上に少なくとも２つの赤色ＬＥＤ、２つの青色ＬＥＤ及び２つの緑色ＬＥＤが互いに間隔をあけて配置されている。これは、単純な作りで更に有利な均一な混色を可能にし、そこで、従来型プリント基板を採用することができる。
【００２６】
本発明の更なる有利な形態によれば、反射体は４つの側壁、及び、特に１つの底壁を有する。これは、反射要素を５つの構造部分から特に単純に作ることを可能にする。ここで、構造部分はどれも板状のものであってよい。更に有利には、両方の側壁、特に全部の側壁が、場合によっては底壁も、それぞれ一平面に沿って延びている。これは、特に単純な作りを可能にし、かつ、照明器具の光分布を特にうまく設定することも可能にする。
【００２７】
本発明の更なる有利な形態によれば、ＬＥＤは、照明の変更可能な混合色を獲得すべく個別に又はグループとして起動できるようになっている。代表的には、信号線を介して照明器具を中央制御装置と接続し、そこから制御信号を、例えばＤＡＬＩプロトコル通りに受信できるようにすることができる。個々のＬＥＤは、その強さが加減でき、照明の様々な混合色を作り出すことができる。
【００２８】
本発明の更なる有利な形態によれば、桶形の反射体は光出口開口に向かって広がっている。これは、極々僅かの回数の反射でＬＥＤからの全部の光電流が光出口開口に向かって特にうまく前進することを可能にし、その結果、全体として高い光効率、すなわち発光効率が達成可能となる。
【００２９】
本発明の更なる有利な形態によれば、反射要素は実質的に台形の横断面を有する。これは、特に単純な作りと、様々な色のＬＥＤから発せられた光の特に良好な混色を可能にする。
【００３０】
本発明の更なる有利な形態によれば、反射要素は実質的に三角形の横断面を有する。これも、特に単純な作りを可能にする。
【００３１】
本発明の更なる有利な形態によれば、反射要素は実質的に矩形の横断面を有する。これも、照明器具の特に単純な作りを可能にする。
【００３２】
本発明の更なる有利な形態によれば、桶形反射体の拡散要素後方の光路、及び／又は光出口開口後方の光路に第２の反射要素が配置されている。この形態は、照明器具を特に有利な仕方で、例えば、桶形反射体において色及び光分布の点で最適に混色された光を前進させたりその向きを変えたりする、例えば建物平面に向けることのできる壁灯又は天井灯として形作ることを可能にする。これは、例えばコンパクトな作りでほとんど眩しさのない照明器具の製作を可能にする。
【発明を実施するための最良の形態】
【００３３】
本発明の更なる利点は、引用されていない従属請求項ならびに以下の記述から明らかとなる。以下、本発明を図面に示す実施例に則して詳細に説明する。
【００３４】
図においてその全体が１０で表された照明は、図１に示す通り、建物の室の天井壁１１に配置されている。これは、壁面１２を照らし出すのに役立つが、図示されていない仕方で、床面１４又は図示されていない対象物又は室外平面を同様に照らし出すのに使用することもできる。図示されている人物１３が、室の状況を明瞭にしている。
【００３５】
照明器具は、図１に示す通り、概略的に描かれただけの照明ハウジング１５を備え、その内空部Lの中に、後に詳述する反射要素１６が配置されている。照明器具１５は、図１に概略的に描かれただけであり、例えば、図示されていない照明カバーガラスを光出口開口の中に具備してよい。同様に、照明器具のハウジング１５の形は、図面に描かれていないが、反射要素１６の形に合わせてあっても酷似させてあってもよい。照明器具１０のハウジング１５の寸法は、反射要素１６の寸法を大きく超えてはならない。これで、全体として照明器具１０の極めてコンパクトな作りが可能となる。図１は、それに反して、反射要素１６よりはるかに大きい寸法の照明ハウジング１５を示す。
【００３６】
好ましくは、照明器具内空部Lの中、しかし、反射体１６の外に、照明手段を作動させるためのアクチュエータのような接続要素、例えば変圧器、制御器、接続回路などが配置されている。照明器具は、信号線を介して制御装置（図示されていない）と接続してあってよく、自明のことながら、電圧供給線と接続されている。
【００３７】
照明器具１５の中に、発明通りの複数の様々な色のＬＥＤの形の照明手段が配置されている。照明器具１０は、その強さの点で、また、その混合色の点で均一な光を発し、それで、壁面１２が円錐形１７の範囲内でできるだけ均一の照らし出されるようにするものとする。また、利用者１３が様々な視角から照明器具１５を見たときにそこにある照明手段を分解できないようにすることも、本発明の目的である。
【００３８】
図２は、照明器具１０の発明通りの反射要素１６の第１の実施例を、部分的に切取った横断面の詳細図として極めて図解的に示す。反射要素１６は、実質的に桶形で、横断面及び縦断面が台形に形作られており、図４から最も良く分かる通り、反射要素１６の光出口開口２３の領域において最大の縦広がりｌと最大の横広がりｑを持つ。従って、実際の光出口開口２３は寸法ｌ×ｑを持つ。
【００３９】
反射要素１６は、第１の側壁１８及びこれと向き合う第２の側壁１９を有する。両方の側壁１８、１９は、それぞれ第３の側壁２０と第４の側壁２１を介して互いに結合している。４つの側壁１８、１９、２０、２１のそれぞれの上領域は、底壁２２を介して互いに結合している。
【００４０】
断面図を見ると、図２の横断面においても、図３の縦断面においても、図２〜図４の実施例では基本形が実質的に台形であることが分かる。つまり、反射要素１６の内空部Ｊは底板２２から光出口開口２３に向かって円錐状に広がる。
【００４１】
反射要素１６の光出口開口２３の領域内に拡散要素２４が配置されており、これは、従来の円板形の要素、例えばつや消し加工、例えばサンドブラスト加工で仕上げられたガラス板、シートなどから作ってあってよい。
【００４２】
反射要素１６の第１の側壁１８にプリント基板２５ａが配置されており、その内側２８が第１の側壁１８の外側２９に隣接し、又は、少なくともこれに沿って揃えられている。第１の側壁１８は一平面に沿って配置されており、それで平面的な形または板の形をなしているので、プリント基板２５ａも平面的、すなわち、実質的に平坦に形作ってあってよい。プリント基板２５ａの第１の側壁１８への固定は、例えば、図２に描かれていないねじ要素、又はその代わりとしてのクリップ要素、相応の固定手段などを使って行われる。
【００４３】
プリント基板２５ａには、図３及び４から最も良く分かる通り、合計６個のＬＥＤ２７ａ、２７ｂ、２７ｃ、２７ｄ、２７ｅ、２７ｆが固定されている。ＬＥＤは、例えば、いわゆるサイドエミッティングＬＥＤであっても、いわゆるランベルトＬＥＤであってもよい。これら両方の種類のＬＥＤは、基本的にその放射特性の点で区別され、先行技術において十分に知られている。
【００４４】
ＬＥＤは、多くは硬ろう付けによってプリント基板に固定されており、プリント基板を介して動作電圧を供給される。プリント基板は、そのために相応の導体トラックを有し、場合によっては電子コンポーネントも有する。但し、ここでは、ＬＥＤの起動制御、及び、起動制御のための接続手段には言及しないものとする。
【００４５】
注意すべきは、プリント基板２５ａの、内空部Ｊと反対の側３０に、動作中のＬＥＤから発生した熱を逃がすことのできる放熱体２６が配置されていることである。放熱体２６も、実質的にブロック形又は直方形、場合によっては板状に作ってあってもよく、放熱のために必要な大きさの表面としてよい。
【００４６】
図３の概略図から分かる通り、個々のＬＥＤ２７ａ、２７ｂ、２７ｃ、２７ｄ、２７ｅ、２７ｆはそれぞれ互いに間隔ｓをあけている。つまり、ＬＥＤ２７ａ、２７ｂ、２７ｃ、２７ｄ、２７ｅ、２７ｆは第１の側壁１８に沿って格子状に分布する形で配置されているので、実質的に均一化した光分布を作り出すことができる。ＬＥＤ２７ａ、２７ｂ、２７ｃ、２７ｄ、２７ｅ、２７ｆは、図３から分かる通り、側壁１８の平面全体にわたって実質的に均一に分布する形で配置されている。
【００４７】
第１の側壁１８には、図示されていない６つの開口が配置されており、これを、プリント基板２５ａに固定されたＬＥＤ２７ａ、２７ｂ、２７ｃ、２７ｄ、２７ｅ、２７ｆがそれぞれ突き抜け、図２に示す通り、内空部Ｊの中に突出している。
【００４８】
選択するＬＥＤの種類に応じて、例えば、サイドエミッティングＬＥＤであるかランベルトＬＥＤであるかに応じて、そのＬＥＤが発する光の分布は違ってくる。いずれの種類のＬＥＤを使用することができる。反射体１６内部の光路については後述する。
【００４９】
さらに注意すべきは、第１の側壁１８と向き合う第２の側壁１９にも、図２において概略的に描かれただけのプリント基板２５ｂが配置されており、これに３個のＬＥＤ２７ｇ、２７ｈ及び２７ｉが固定されていることである（図４を参照）。また、プリント基板２５ｂのために、図２に描かれていないが、放熱体が設けてあってもよい。第２の側壁１９も一平面に沿って配置されている。
【００５０】
図２〜図４の実施例では、第１の側壁１８に、６個のＬＥＤを付けたプリント基板２５ａが取付けてあり、第２の側壁１９に、３個のＬＥＤを付けたプリント基板２５ｂが取付けてある。第２の側壁１９の方に、６個より多い数のＬＥＤを付けた大きいプリント基板が取付けてあってもよい。また、第１の側壁１８の方に、６個のＬＥＤを付けた大きいプリント基板の代わりに、３個しかＬＥＤを付けない小さいプリント基板が取付けてあってもよい。
【００５１】
しかし、反射要素１６をコンパクトな作りにするため、できれば、ＬＥＤが側壁１８及び１９のそれぞれの平面全体に均一に分布する形で配置されるようにＬＥＤを側壁１８及び１９の平坦セクションに配置するのが好ましい。そこで、大抵は、側壁のそれぞれの寸法に近似した寸法を持ち、できるだけ側壁の平面の大部分を満たすプリント基板が使用されることになる。
【００５２】
例えば側壁１８の側のプリント基板２５ａのような大面積のプリント基板１枚の代わりに、より小さいプリント基板が複数枚並置してあってもよく、総体としての寸法が、側壁の寸法、又は少なくとも側壁の平坦セクションの寸法に実質的に相当する大きさであってよい。
【００５３】
ここで注意すべきは、図１〜図３に示した反射体１６の側壁１８、１９、２０、２１及び底壁２２が反射効果を持つ、好ましくは大きい反射効果を持つ形に作られていることである。
【００５４】
次に、ＬＥＤから発せられた光の有利な混色を図２に則して説明する。
【００５５】
ＬＥＤ２７ａは、図２の通り、例えば光ビームｂを発出し、これが第２の側壁１９で反射され、続いて拡散体２４に当たる。
【００５６】
ＬＥＤ２７ｂは、光ビームｃを発出し、同様にこれも第２の側壁１９で反射され、続いて拡散体２４に当たる。
【００５７】
ＬＥＤ２７ｇは、相応の光ビームを発出し、これは側壁１８で反射されてから拡散要素２４に当たる。
【００５８】
サイドエミッティングＬＥＤを使用するかランベルトＬＥＤを使用するかに関係なく、図２に示した３つの光ビームａ、ｂ、ｃが代表的なものである。ＬＥＤ２７ｇから発せられた光の大部分は、第１の側壁１８で反射されてから拡散要素２４に当たる。同様に、ＬＥＤ２７ａから発せられた光の大部分、及び、ＬＥＤ２７ｂから発せられた光の大部分は、第２の側壁１９で反射される。
【００５９】
従って、拡散体２４に当たるのは、色が混ざり合った光である。拡散体２４において典型的であるように、拡散要素は光を更に混ぜ合わせることができる。これを外向きの矢印ａ’、ｂ’、ｃ’で表す。
【００６０】
図４から明らかな通り、ＬＥＤから発せられた光の大部分は、それぞれ向き合う側壁で反射される。これは、ＬＥＤと側壁１８、１９の向きを適切に揃えることによって実現できる。そこで、例えばプリント基板２５ａの側縁に配置されたＬＥＤ（例えばＬＥＤ２７ｅ）の場合は、光ビームｅで表された光部分が向き合う側壁１９で反射されてから、拡散要素２４を通って出ていく。これに対し、同じＬＥＤ２７ｅから発せられた光のうち、光ビームｆで表された他の光部分は、拡散体１６の細幅の側壁２１で反射されてから、図４の観察者の眺める方向で背後に位置する拡散要素２４を通って出ていく。図４の光路を表す矢印ｄ、ｅ、ｆは、光が反射要素１６の内空部Ｊから拡散要素２４を通り抜けて出ていく場所で終わる。
【００６１】
全部の光ビームの大部分が先ずいったん側壁で反射されてから拡散要素２４に当たることにより、拡散要素２４に到達する光の総体はすでに混色されている。拡散要素２４は、光が当たるとき、その混色を更に改善することができる。
【００６２】
注意すべきは、反射要素１６の最大の横広がりｑが例えば２０ｍｍから１５０ｍｍまでの間、好ましくは５０ｍｍ程度であってよいこと、そして、反射要素１６の縦広がりｌが３０ｍｍから１５０ｍｍまでの間、好ましくは７５ｍｍ程度であってよいことである。同様に、底壁２２は、縦広がりｍが３０ｍｍから９０ｍｍまでの間、好ましくは５５ｍｍ程度であってよく、横広がりｎが例えば１０〜５０ｍｍ程度、好ましくは約２１ｍｍであってよい。
【００６３】
注意すべきは、図示されたプリント基板２５ａ及び２５ｂの配置、ならびに、対応する付属の側壁１８及び１９の作りが単なる例であると理解すべきことである。決定的な意味を持つのは、互いに向き合う２つの側壁１８及び１９が設けられており、これらが少なくとも、ＬＥＤを付けたプリント基板を固定できる平坦なセクションを有することである。好ましくは、上の実施例で図解した通り、全部の側壁１８、１９、２０、２１はそれぞれ一平面に沿って、すなわち平面的に形作られている。
【００６４】
更に、プリント基板上に記されたＬＥＤの数は単なる例と理解すべきである。好ましくは、６〜３０個のＬＥＤが桶形の反射体１６の中に配置されている。しかしながら、ＬＥＤの数、その配置、どんな色のどんなＬＥＤがどの場所に配置されているか、そして、ＬＥＤが互いにどれだけの間隔をあけているかは、意図された使用目的、反射体１６全体の大きさ、及び、所望の光電流によって異なる。
【００６５】
図２に相似する図５の実施例は、比較可能な形でＬＥＤを配置した実質的に三角形の反射体１６を示す。プリント基板と放熱体がここでは図示されていない。ＬＥＤ２７ａ、２７ｂ、２７ｇから発せられた光の混色は、先に述べた実施例におけると同様な仕方で行われる。
【００６６】
図５の実施例は、図２に示した通りの底壁２２を必要とする。底壁が設けられている場合は、底壁２２も、光を反射し、反射要素１６の光出口開口２３に向けて前進させることに寄与する。
【００６７】
図６の第３の実施例は、実質的に矩形の横断面を持つ反射要素１６を備えている。ここでは、ＬＥＤ２７ａ、２７ｂ、２７ｇが、側壁１８、１９をそれぞれ基準として僅かながら傾けて配置されており、その傾きが図では誇張して描かれている。ＬＥＤ２７ａと２７ｂは、図示されていない共通のプリント基板の上に配置してあってよく、ここで、プリント基板は、図６に示したＬＥＤの所望の配置を達成するために相応の食違いの段が付けてあってよい。あるいはその代わりに、ＬＥＤ２７ａと２７ｂに別々のプリント基板が割当ててあってもよい。最終的に、図６に描かれていないプリント基板を基準としてＬＥＤを僅かながら傾けて配置することが可能であるので、プリント基板は、側壁１８、１９をそれぞれ基準としてそれに平面的に隣接する形で固定できることになる。このことが改めて、プリント基板の側壁への固定を容易にする。
【００６８】
注意すべきは、図に描かれたＬＥＤが誇張して大きく描かれており、実際には、ＬＥＤ自体が光の混色を妨げることも、特に影を作り出すこともない程度の小さい寸法しか持たないことである。
【００６９】
図面に描かれていないが、側壁１８、１９には開口が設けられており、これを、相応のプリント基板２５ａ、２５ｂに固定されたＬＥＤ２７ａ、２７ｂ、２７ｃ、２７ｄ、２７ｅ、２７ｆ、２７ｇがそれぞれ突き抜け、反射体１６の内空部Ｊの中に突出する。しかし、図３を見ると、これらの開口が相応の側壁においてＬＥＤを配置した場所にあることははっきり分かる。
【００７０】
先に記述したことから明らかな通り、ＬＥＤが固定された関連の側壁１８、１９は完全に平坦に形作られており、それで発明通りの平坦なセクションを有している。図示されていない他の形の反射体の場合、側壁１８、１９は完全に平坦な形でなくてよく、膨らみや湾曲を見せてもよく、プリント基板を取付けるセクションが平坦でありさえすればよい。
【００７１】
図示されていない実施例では、細幅側壁又は正面側壁２０及び２１にもＬＥＤが付けてあってよい。但し、すでに面積がより大きいことから、できれば、ＬＥＤは縦側壁１８、１９に配置されているのが好ましい。
【００７２】
次に、図７に則して本発明による照明器具１０の更なる実施例について述べておきたい。ここで描かれているのは、内空部の中に図２の反射要素が配置された照明ハウジング１５を使用する照明器具１０で、ここでは、反射要素１６の光出口開口２３の後方の光路に二次反射要素又は第２の反射要素３１が配置されている。第２の反射要素３１は、実質的にブレード状、つまり、膨らみ又は湾曲のある形をなしており、ＬＥＤから発せられた光を大体、図７に描かれていない建物壁１２（図１を参照）に向けて投じるのに役立つ。この第２の反射要素３１は、反射要素１６又は拡散要素２４に直接つながり、例えば照明器具１０の光出口開口３２の領域内で終わってよい。図７に描かれた反射要素３３のような更なる反射要素も同様に設けてあってよい。反射要素３１及び３３は、照明ハウジング１５と固定的に連結してあってよく、反射要素１６を固定する支持構造の役割も果たすことができる。
【００７３】
図７を参照すると、拡散要素２４を通過する光の一部だけが、例えば光の矢印ａ’で示されるように反射要素３１に当たることがよく分かる。光の矢印ｃ’及びｂ’で示された他の光は、拡散要素２４を通り抜け、反射要素３１又は３３の一方に当たることなく、照明器具１０の光出口開口３２を通って照明器具１０を離れる。
【００７４】
図７からも明らかな通り、別々の二次反射要素３１を具備する別々の照明器具に桶形の反射要素１６を嵌め込むことも可能である。そうすれば、例えば図２に示した通りのコンパクトなユニットを同じ形又は匹敵する形で採用し、これを、別々の二次反射要素３１を具備する別々の照明器具１０に嵌め込むことができる。これは、照明器具のモジュラー様式の作りを可能にする。
【図面の簡単な説明】
【００７５】
【図１】建物の室の天井壁に配置されていて、室の側壁を照らし出す本発明による照明器具の一実施例を含む室の概略図である。
【図２】図１に示した、実質的に台形の反射要素を備えた照明器具の第１の実施例の反射要素の一部切取った部分の詳細図である。
【図３】図２に示した実施例の、図２の矢視IIIの方向における側面図である。
【図４】図２に示した実施例の、図３の矢視IVの方向における平面図で、ここでは、見易くするために拡散体が省略されている。
【図５】図２に示した本発明による照明器具の、三角形の横断面を持つ反射要素を備えた第２の実施例の図である。
【図６】図２に示した本発明による照明器具の、実質的に矩形の横断面を持つ反射要素を備えた第３の実施例の図である。
【図７】図２に示した本発明による照明器具の、桶形反射要素の光出口開口後方の光路に第２の反射要素を配置した第４の実施例の図である。
【符号の説明】
【００７６】
１０    照明
１５    照明ハウジング
１６    反射体ないしは反射要素
１８    側壁
１９    側壁
２３    光出口開口
２４    拡散体ないしは拡散要素
２５    プリント基板
２７    ＬＥＤ
【図１】
2008053049.tif 000003
【図２】
2008053049.tif 000004
【図３】
2008053049.tif 000005
【図４】
2008053049.tif 000006
【図５】
2008053049.tif 000007
【図６】
2008053049.tif 000008
【図７】
2008053049.tif 000009